(57)【特許請求の範囲】
【請求項１】
回転する記録媒体との相対運動により空気浮上するスライダと、前記スライダを支持し、しかも湾曲部を有するサスペンションアームと、前記スライダに光を導入する光導波路とからなる近接場光利用ヘッドを組み立てるために使用する近接場光利用ヘッド組立用治具であって、
前記サスペンションアームの一端部を固定するパレットと、
一端が前記パレットに固定され、他端が前記サスペンションアームの他端部に接触し、しかも可撓性を有する補正アームと、
前記補正アームの前記一端部と前記他端部との間の所定部位に接触して前記補正アームを撓ませる調整部とを有し、
前記調整部の接触作用により前記補正アームを撓ませて前記サスペンションアームの前記他端部に外力を与え、前記湾曲部の湾曲を緩和させた状態で前記光導波路と前記スライダおよび前記サスペンションアームとを接続することを特徴とする近接場光利用ヘッド組立用治具。
【請求項２】
前記調整部がネジからなることを特徴とする請求項１に記載の近接場光利用ヘッド組立用治具。
【請求項３】
前記調整部がラッチ機構からなることを特徴とする請求項１に記載の近接場光利用ヘッド組立用治具。
【請求項４】
前記補正アームの前記他端が、前記サスペンションアームの前記他端部と１箇所で接触するように形成されていることを特徴とする請求項１〜３のいずれかに記載の近接場光利用ヘッド組立用治具。
【請求項５】
前記補正アームの前記他端が、前記サスペンションアームの前記他端部と複数箇所で接触するように形成されていることを特徴とする請求項１〜３のいずれかに記載の近接場光利用ヘッド組立用治具。
【請求項６】
前記補正アームは、前記補正アームに対して概垂直なツメを持ち、前記調整部によって前記補正アームが撓むと、前記補正アームの撓みに伴って、前記ツメと前記パレットにて前記サスペンションアームを挟んで固定することを特徴とする請求項１〜５のいずれかに記載の近接場光利用ヘッド組立用治具。
【請求項７】
請求項1〜６のいずれかに記載の近接場光利用ヘッド組立用治具を搬送する搬送装置と、前記パレットに前記サスペンションアームを配置するサスペンションマウンタと、前記調整部を動作させる調整器と、前記スライダを前記サスペンションアームに固定するスライダマウンタと、前記光導波路を前記スライダと前記サスペンションアームに固定する光導波路マウンタとからなることを特徴とする近接場光利用ヘッドの組立装置。
【発明の詳細な説明】
【技術分野】
【０００１】
この発明は、近接場光利用ヘッドの組立をおこなう近接場光利用ヘッド組立用治具及び近接場光利用ヘッド組立装置に関する。
【背景技術】
【０００２】
近年、情報化社会における画像・動画情報の急激な増加に対応するため、情報記録再生装置は大容量化・小型化が進められている。光を用いた情報記録再生装置においては、記録密度が光波長に依存するため、短い波長の光を用いることで高密度化が図られてきた。波長に依存しない密度の実現の方法としては、近接場光を用いた記録再生原理が注目されている。磁気を用いた情報記録再生装置においては、記録媒体表面の微小領域を分離して磁化し、またそれを検出するために、微小領域のみに近接場光を照射することで加熱してから磁化させる近接場光アシスト磁気記録方式が、次世代の記録再生原理の有力候補と見られている。
【０００３】
近接場光を利用した記録再生装置の構成は、磁気ディスク装置とほぼ同様であり、磁気ヘッドに代わり、近接場光利用ヘッドを用いる。近接場光利用ヘッドは、光学的微小開口やナノメートルサイズの突起などからなる近接場光発生素子を持つ。近接場光発生素子は空気浮上技術を用いたスライダに搭載される。スライダはサスペンションアームの先端に取り付けられ、動圧により記録媒体に対して一定の高さで浮上する。これにより、近接場光発生素子は記録媒体上に存在する任意のデータマークへアクセスする。高速度回転する記録媒体にスライダを追従させるため、近接場光利用ヘッドには記録媒体のうねりに対応して姿勢を安定させるフレクシャ機能をもたせている。このような構成の近接場光利用ヘッドは、ヘッドに光を供給するために光導波路等からなる光導入部を必要とする。ここでの光導波路は光ファイバも含む。電気配線に比べて配線の自由度が低い光導波路を用いて、いかに効率よく光を近接場光発生素子および記録媒体に導くかが、近接場光を利用した記録再生技術の重要な点である
このような近接場光利用ヘッドにおいて、光導波路をスライダに接続し、メディア面に水平な方向に伝搬している光導波路からの光を反射させて伝搬方向を開口方向に向ける光反射面をもちいて、微小なビームスポットを近接場光発生素子に入射させる手法が考案されている。（特許文献１参照。）
図１に近接場光利用ヘッドアセンブリ１００を用いた情報記録再生装置の概略を示す。
近接場光利用ヘッドアセンブリ１００は、光ファイバ１０３、サスペンションアーム１０４、フレクシャ１０５、スライダ１０６、近接場光発生素子（図示略）から構成される。近接場光発生素子（図示略）を搭載するスライダ１０６を、記録媒体１０７の表面に数ｎｍから数十ｎｍ程度まで近接した状態で記録媒体１０７を高速に回転させ、スライダ１０６が記録媒体１０７と常に一定の相対配置で浮上するために、フレクシャ１０５をサスペンションアーム１０４の先端部に形成している。
【０００４】
サスペンションアーム１０４は固定穴１０４ａを介してボイスコイルモータ（図示略）に固定されており、ボイスコイルモータによって記録媒体１０７の半径方向に移動可能である。ここで、スライダ１０６は、記録媒体１０７に近接場光発生素子が対面するように配置されている。レーザ１０１からの光束をスライダ１０６まで導く光伝搬部は、レンズ１０２とサスペンションアーム１０４に固定された光ファイバ１０３から構成されている。必要に応じて、レーザ１０１は回路系１０８により強度変調などをかけることもできる。概略をわかりやすくするために、サスペンションアーム１０４とフレクシャ１０５とスライダヘッド１０６はそれぞれ分解した形で示してあるが、実際には、それぞれは接続され必要に応じて固定されている。
【特許文献１】国際特許公開第００／２８５３６号パンフレット
【発明の開示】
【発明が解決しようとする課題】
【０００５】
上述した近接場光利用ヘッドでは、サスペンションアーム１０４からフレクシャ１０５を介してスライダ１０６を押しつける力と、記録媒体１０７の回転によりスライダ１０６を浮上させる力とが釣り合うことによって、スライダ１０６は記録媒体１０７に対して数ｎｍから数十ｎｍ程度の間隙をもって安定に浮上している。サスペンションアーム１０４は、スライダ１０６方向にあらかじめ湾曲させられており、そのバネ力によってスライダ１０６への押しつけ力を発生させている。記録再生装置の動作時は、サスペンションアーム１０４の湾曲は、スライダ１０６への押しつけ力の反力のために緩和されている。
【０００６】
近接場光利用ヘッドは、比較的剛性の大きい光導波路を有するため、サスペンションアームのスライダへの押しつけ力とスライダの浮上力との釣り合いが乱され、スライダと記録媒体の間隙の維持ができなくなりやすい。このことに対して、近接場光利用ヘッドの組立時における、スライダと光導波路の固定および、サスペンションアームと光導波路の固定が重要な要素となる。組立時には、サスペンションアームは湾曲しており、このままの位置関係で上記のような固定をおこなえば、サスペンションアームの湾曲が緩和する記録再生装置の動作時には、光導波路がスライダを引っ張ることになり、スライダの浮上の妨げとなる。記録再生装置の動作時におけるサスペンションアームの姿勢を模擬して、上記のような固定をおこなうことができれば、安定浮上する近接場光利用ヘッドを実現することができる。
【課題を解決するための手段】
【０００７】
上記課題を解決するため本発明では、近接場光利用ヘッドを固定するパレットと、一端がパレットに固定され、他端がサスペンションアームに接触する、可撓性を有する補正アームと、補正アームに接触することで補正アームを撓ませる調整部を持つ組立用冶具により、調整部の動作により補正アームを撓ませ、サスペンションアームの湾曲を緩和させた。調整部にはネジやラッチ機構を用いる。また、補正アームがサスペンションアームに接触する点は、１つでも複数でも良い。
【０００８】
また、補正アームに対して概垂直なツメを有する補正アームを用いることにより、調整部によって補正アームが撓むと、ツメとパレットにてサスペンションアームを挟み固定することができる。
【０００９】
また、本発明における近接場光利用ヘッドの組立装置は、パレットを搬送する搬送装置と、パレットにサスペンションアームを配置するサスペンションマウンタと、調整部を動作させる調整器と、スライダをサスペンションアームに固定するスライダマウンタと、光導波路をスライダとサスペンションアームに固定する光導波路マウンタを持つ。
【発明の効果】
【００１０】
以上説明したように、本発明によれば、調整部の動作によって、補正アームがサスペンションアームを押し下げることにより、近接場光利用ヘッドの動作姿勢を模擬することができる。これにより、スライダと光導波路との固定、および光導波路とサスペンションアームとの固定が容易にできる。このようにして製造された近接場光利用ヘッドは、これを搭載した記録再生装置の動作時には、光導波路がスライダを引っ張ることなく、スライダを安定浮上させることができる。
【００１１】
また、調整部にネジを用いることで、近接場光利用ヘッドの動作姿勢を精密に模擬することができ、スライダを安定浮上させることができる。
【００１２】
また、調整部にラッチ機構を用いることで、短い時間でサスペンションアームの湾曲を緩和させることができるため、組立時間を低減させることができる。
【００１３】
また、補正アームがサスペンションアームに接触する点を１つにすることで、小さなパレットを用いることができるため、容積効率の良い組立ラインを実現できる。また、調整部が一カ所で済むため、組立時間を低減させることができる。
【００１４】
また、補正アームがサスペンションアームに接触する点を複数にすることで、近接場光利用ヘッドの動作姿勢を精密に模擬することができ、スライダを安定浮上させることができる。
【００１５】
また、本発明によれば、ツメによってサスペンションアームをパレットに固定することができ、接着剤等の固定手段を省くことができる。
【００１６】
また、本発明は、大量生産に対応した組立ラインに適応させることもでき、安価な近接場光利用ヘッドアセンブリを大量に製造することができる。
【発明を実施するための最良の形態】
【００１７】
以下に、この発明を実施するための最良の形態を図面に基づいて説明する。
（実施の形態１）
図１に近接場光利用ヘッドアセンブリ１００を用いた情報記録再生装置の概略を示す。図１は背景技術として既に説明したが、ここで再度説明する。近接場光利用ヘッドアセンブリ１００は、光ファイバ１０３、サスペンションアーム１０４、フレクシャ１０５、スライダ１０６、近接場光発生素子（図示略）から構成される。近接場光発生素子（図示略）を搭載するスライダ１０６を、記録媒体１０７の表面に数ｎｍから数十ｎｍ程度まで近接した状態で記録媒体１０７を高速に回転させ、スライダ１０６が記録媒体１０７と常に一定の相対配置で浮上するために、フレクシャ１０５をサスペンションアーム１０４の先端部に形成している。サスペンションアーム１０４は固定穴１０４ａを介してボイスコイルモータ（図示略）に固定されており、ボイスコイルモータによって記録媒体１０７の半径方向に移動可能である。
【００１８】
ここで、スライダ１０６は、記録媒体１０７に近接場光発生素子が対面するように配置されている。レーザ１０１からの光束をスライダ１０６まで導く光伝搬部は、レンズ１０２とサスペンションアーム１０４に固定された光ファイバ１０３から構成されている。必要に応じて、レーザ１０１は回路系１０８により強度変調などをかけることもできる。概略をわかりやすくするために、サスペンションアーム１０４とフレクシャ１０５とスライダヘッド１０６はそれぞれ分解した形で示してあるが、実際には、それぞれは接続され必要に応じて固定されている。
【００１９】
図２に本発明の実施の形態１における近接場光利用ヘッド組立用治具の図を示す。図２（ａ）は平面図、（ｂ）は治具動作前の側断面図、（ｃ）は治具動作後の側断面図である。サスペンションアーム１０４はパレット２０３の上面に固定される。サスペンションアーム１０４は上方に反った形状を有している。パレット２０３下面には補正アーム２０４が固定ネジ２０５を用いて固定されている。補正アーム２０４はアルファベットのＣ状に、２本のアームが空間を囲うよう、アームの先端２０４ａが対向するような形状を有している。また補正アーム２０４は、図２（ｂ）に示すように、前記の２本のアームが一旦パレット２０３に対して垂直方向に屈曲してから、再度パレット２０３に対して平行方向に屈曲するようなクランク形状を有しているため、3次元形状を成している。補正アーム２０４のこのような形状のため、補正アーム２０４はパレット２０３の下面、サスペンションアーム１０４はパレット２０３の上面に固定されているにもかかわらず、補正アーム２０４の先端２０４ａはサスペンションアーム１０４の直上に位置する。
【００２０】
また、パレット２０３には、パレット２０３を貫通するように調整ネジ２０６が挿入されている。調整ネジ２０６の下面２０６ａは補正アーム２０４に接している。調整ネジ２０６は、これを回転させて推進させることで、調整ネジ２０６の下面を介して補正アーム２０４を押し下げる機能を有している。図２（ｃ）に示すように、固定ネジ２０５と調整ネジ２０６の位置はオフセットさせてあり、調整ネジ２０６により、調整ネジの下面２０６ａが補正アーム２０４を押し下げると、固定ネジ２０５を支点として、補正アーム２０４が下方に湾曲する。
【００２１】
補正アーム２０４が下方に湾曲すると、先端２０４ａがサスペンションアーム１０４を押し下げ、サスペンションアーム１０４の反りを一時的に緩和することができる。調整ネジ２０６の回転を調整することで、補正アーム２０４によるサスペンションアーム１０４の押し下げ量を調整できるため、サスペンションアーム１０４の湾曲緩和の度合いを調整することができる。つまり、図１で示したような近接場光利用ヘッドの動作姿勢を模擬することができる。この後、スライダ１０６（図示略）をサスペンションアーム１０４に固定し、光ファイバ１０３（図示略）をスライダ１０６とサスペンションアーム１０４に固定する。
【００２２】
なお、これまで、パレット２０３の下面に補正アーム２０４が固定ネジ２０５を用いて固定される構造例について説明したが、特にこれに拘るものではなく、パレット２０３の上面に補正アーム２０４が固定ネジを用いて固定される構造であってもよい。このことは後述するすべての実施形態についても同様である。
【００２３】
図３に本発明の実施の形態１における近接場光利用ヘッドの組立システムの図を示す。複数のパレット２０３にはそれぞれ補正アーム２０４（図示略）、調整ネジ２０６（図示略）が取り付けられており、ベルトコンベア３０１上に配置され搬送されている。まず、サスペンションマウンタ３０２により、サスペンションアーム１０４がパレット２０３に取り付けられる。次に、調整器３０３により、調整ネジ２０６を回転させ、サスペンションアーム１０４の押し下げ量を調整する。次に、スライダマウンタ３０４により、スライダ１０６が、サスペンションアーム１０４の所定の位置に取り付けられる。最後に、光ファイバマウンタ３０５により、光ファイバ１０３（図示略）がスライダ１０６およびサスペンションアーム１０４に固定されると、近接場光利用ヘッドアセンブリ１００の組立が完了する。
【００２４】
本実施の形態では、調整ネジ２０６の調整によって、補正アーム２０４がサスペンションアーム１０４を押し下げることにより、近接場光利用ヘッドの動作姿勢を模擬することができる。これにより、スライダ１０６と光ファイバ１０３との固定、および光ファイバ１０３とサスペンションアーム１０４との固定が容易にできる。このようにして製造された近接場光利用ヘッドは、これを搭載した記録再生装置の動作時には、光ファイバがスライダを引っ張ることなく、スライダが安定浮上することができる。
【００２５】
また、図３に示したように、大量生産に対応した組立ラインに適応させることもでき、安価な近接場光利用ヘッドアセンブリを大量に製造することができる。
（実施の形態２）
図４、図５は本発明の実施の形態２にかかわる近視野光ヘッド組立用治具の図である。図４（ａ）は平面図、（ｂ）は治具動作前の側断面図、（ｃ）は治具動作後の側断面図である。図５（ａ）は図４（ｂ）の拡大図、図５（ｂ）は図４（ｃ）の拡大図である。また、ここでの近視野光ヘッドは、実施の形態１にかかわる近視野光ヘッドと同一なものである。
【００２６】
サスペンションアーム１０４はパレット４０３の上面に配置される。このとき、実施の形態１とは異なり、サスペンションアーム１０４とパレット４０３は固定されず、サスペンションアーム１０４根元部の穴１０４ａのフランジ４０２ｂと、パレット４０３上の穴４０３ａが嵌合しているのみである。
【００２７】
サスペンションアーム１０４は上方に反った形状を有している。パレット４０３下面には補正アーム４０４が固定ネジ４０５を用いて固定されている。補正アーム４０４はアルファベットのＣ状に、２本のアームが空間を囲うよう、アームの先端４０４ａが対向するような形状を有している。また補正アーム４０４は、図４（ｂ）に示すように、前記の２本のアームが一旦パレット４０３に対して垂直方向に屈曲してから、再度パレット４０３に対して平行方向に屈曲するようなクランク形状を有しているため、3次元形状を成している。補正アーム４０４のこのような形状のため、補正アーム４０４はパレット４０３の下面、サスペンションアーム１０４はパレット４０３の上面に固定されているにもかかわらず、補正アーム４０４の先端４０４ａはサスペンションアーム１０４の直上に位置する。
【００２８】
また、パレット４０３には、パレット４０３を貫通するように調整ネジ４０６が挿入されている。調整ネジ４０６の下面４０６ａは補正アーム４０４に接している。調整ネジ４０６は、これを回転させて推進させることで、調整ネジ４０６の下面を介して補正アーム４０４を押し下げる機能を有している。図４（ｃ）に示すように、固定ネジ４０５と調整ネジ４０６の位置はオフセットさせてあり、調整ネジ４０６により、調整ネジの下面４０６ａが補正アーム４０４を押し下げると、固定ネジ４０５を支点として、補正アーム４０４が下方に湾曲する。
【００２９】
補正アーム４０４は、図６に示すように、ツメ４０４ｂを有している。ツメ４０４ｂは、補正アーム４０４に対して概垂直に形成されており、パレット４０３の下面から窓４０７を通ってパレット４０３の上面に突出した形になっている。調整ネジ４０６により、補正アーム４０４が下方に湾曲すると、それにつれてツメ４０４ｂも傾き、サスペンション１０４の側面を押す。この結果、サスペンション１０４は、フランジ４０２ｂと穴４０３ａとツメ４０４ｂとによって、パレット４０３に固定される。
【００３０】
補正アーム４０４が下方に湾曲すると、先端４０４ａがサスペンションアーム１０４を押し下げ、サスペンションアーム１０４の反りを一時的に無くすことができる。調整ネジ４０６の回転を調整することで、補正アーム４０４によるサスペンションアーム１０４の押し下げ量を調整できるため、サスペンションアーム１０４を一時的に直線状にすることができる。つまり、図１で示したような近接場光利用ヘッドの動作姿勢を模擬することができる。
【００３１】
本実施の形態では、実施の形態１の効果に加えて、ツメ４０４ｂによってサスペンションアーム１０４をパレット４０３に固定することができ、接着剤等の固定手段を省くことができる。
（実施の形態３）
図７に本発明の実施の形態３における近接場光利用ヘッド組立用治具の平面図を示す。本実施の形態は、実施の形態１とほぼ同様であるが、補正アームの形状が異なる。
【００３２】
サスペンションアーム１０４はパレット５０３の上面に固定される。パレット５０３下面には補正アーム５０４が固定ネジ５０５を用いて固定されている。補正アーム５０４は鉤状の先端５０４ａを有す。実施の形態１と異なり、補正アーム５０４は１本のアームからなる。さらに、補正アーム５０４は、一旦パレット５０３に対して垂直方向に屈曲してから、再度パレット５０３に対して平行方向に屈曲するようなクランク形状を有している。（図示略）補正アーム５０４のこのような形状のため、補正アーム５０４はパレット５０３の下面、サスペンションアーム１０４はパレット５０３の上面に固定されているにもかかわらず、補正アーム５０４の先端５０４ａはサスペンションアーム１０４の直上に位置する。
【００３３】
また、パレット５０３には、パレット５０３を貫通するように調整ネジ５０６が挿入されている。調整ネジ５０６の下面（図示略）は補正アーム５０４に接している。調整ネジ５０６は、これを回転させて推進させることで、調整ネジ５０６の下面を介して補正アーム５０４を押し下げる機能を有している。図７に示すように、固定ネジ５０５と調整ネジ５０６の位置はオフセットさせてあり、調整ネジ５０６により、調整ネジの下面５０６ａが補正アーム５０４を押し下げると、固定ネジ５０５を支点として、補正アーム５０４が下方に湾曲する。
【００３４】
補正アーム５０４が下方に湾曲すると、先端５０４ａがサスペンションアーム１０４を押し下げ、サスペンションアーム１０４の反りを一時的に緩和することができる。調整ネジ５０６の回転を調整することで、補正アーム５０４によるサスペンションアーム１０４の押し下げ量を調整できるため、サスペンションアーム１０４の湾曲緩和の度合いを調整することができる。つまり、図１で示したような近接場光利用ヘッドの動作姿勢を模擬することができる。
【００３５】
本実施の形態では、実施の形態１の効果に加えて、実施の形態１のパレットより小さなパレットを用いることができるため、容積効率の良い組立ラインを実現できる。また、調整ネジが一カ所で済むため、組立時間を低減させることができる。
（実施の形態４）
図８に本発明の実施の形態４における近接場光利用ヘッド組立用治具の図を示す。図８（ａ）は治具動作前の側断面図、（ｂ）は治具動作後の側断面図である。本実施の形態は、実施の形態１とほぼ同様であるが、調整ネジの代わりにラッチ機構を用いる点が異なる。
【００３６】
サスペンションアーム１０４はパレット６０３の上面に固定される。サスペンションアーム１０４は上方に反った形状を有している。パレット６０３下面には補正アーム６０４が固定ネジ６０５を用いて固定されている。補正アーム６０４の形状は実施の形態１と同様であり、補正アーム６０４はパレット６０３の下面、サスペンションアーム１０４はパレット６０３の上面に固定されているにもかかわらず、補正アーム６０４の先端６０４ａはサスペンションアーム１０４の直上に位置する。
【００３７】
また、パレット６０３の端部にはラッチ機構６０７を設けている。補正アーム６０４を外力により下方に押し下げると、固定ネジ６０５を支点として補正アーム６０４が下方に湾曲する。ここで、図８（ｂ）に示すように、ラッチ機構６０７のために、外力の付加を停止しても、補正アーム６０４は湾曲したままになる。
【００３８】
補正アーム６０４が下方に湾曲すると、先端６０４ａがサスペンションアーム１０４を押し下げ、サスペンションアーム１０４の反りを一時的に緩和することができる。ラッチ機構６０７の設定により、サスペンションアーム１０４の湾曲緩和の度合いを決定することができる。つまり、図１で示したような近接場光利用ヘッドの動作姿勢を模擬することができる。
【００３９】
本実施の形態では、実施の形態１の効果に加えて、ラッチ機構を用いることで調整ネジを用いるよりも、短い時間でサスペンションアームの湾曲を緩和させることができるため、組立時間を低減させることができる。
【図面の簡単な説明】
【００４０】
【図１】本発明の実施の形態１にかかわる近接場光利用ヘッドを用いた情報記録再生装置の概略図である。
【図２】本発明の実施の形態１における近接場光利用ヘッド組立用治具の図である。
【図３】本発明の実施の形態１における近接場光利用ヘッド組立システムの図である。
【図４】本発明の実施の形態２における近視野光ヘッド組立用治具の図である。
【図５】本発明の実施の形態２における近視野光ヘッド組立用治具の拡大図である。
【図６】本発明の実施の形態２における補正アームの図である。
【図７】本発明の実施の形態３における近視野光ヘッド組立用治具の図である。
【図８】本発明の実施の形態４における近視野光ヘッド組立用治具の図である。
【符号の説明】
【００４１】
１００  近接場光利用ヘッドアセンブリ
１０１  レーザ
１０２  レンズ
１０３  光ファイバ
１０４  サスペンションアーム
１０５  フレクシャ
１０６  スライダ
１０７  記録媒体
１０８  回路系
２０３  パレット
２０３ａ  穴
２０４  補正アーム
２０４ａ  先端
２０５  固定ネジ
２０６  調整ネジ
２０６ａ  下面
３０１  ベルトコンベア
３０２  サスペンションマウンタ
３０３  調整器
３０４  スライダマウンタ
３０５  光ファイバマウンタ
４０２ｂ  フランジ
４０３  パレット
４０３ａ  穴
４０４  補正アーム
４０４ａ  先端
４０４ｂ  ツメ
４０５  固定ネジ
４０６  調整ネジ
４０６ａ  下面
４０７  窓
５０３  パレット
５０４  補正アーム
５０４ａ  先端
５０５  固定ネジ
５０６  調整ネジ
６０３  パレット
６０４  補正アーム
６０４ａ  先端
６０５  固定ネジ
６０７  ラッチ機構
【図１】
0004422091.tif 000002
【図２】
0004422091.tif 000003
【図３】
0004422091.tif 000004
【図４】
0004422091.tif 000005
【図５】
0004422091.tif 000006
【図６】
0004422091.tif 000007
【図７】
0004422091.tif 000008
【図８】
0004422091.tif 000009